(57)【要約】【課題】  トランジスタのしきい値電圧変化に鈍感なチャージポンプ回路とこれを利用した直流変換装置を提供する。【解決手段】  第1クロック信号によって入力電圧を出力するソーストランジスタと、前記入力電圧と前記第1クロック信号と前記第1クロック信号と異なる第2クロック信号を利用して前記ソーストランジスタを駆動する駆動部と、前記第1及び第2クロック信号によって前記ソーストランジスタから出力される電圧を段階的に高める電圧ポンピング部を具備する。【選択図】  図２
2006141196.tif 000002
【特許請求の範囲】
【請求項１】
第1クロック信号によって入力電圧を出力するソーストランジスタと、
前記入力電圧と前記第1クロック信号と前記第1クロック信号と異なる第2クロック信号を利用して前記ソーストランジスタを駆動する駆動部と、
前記第1及び第2クロック信号によって前記ソーストランジスタから出力される電圧を段階的に高める電圧ポンピング部を具備することを特徴とするチャージポンプ回路。
【請求項２】
前記駆動部は、
前記第1クロック信号によって前記ソーストランジスタのゲートソース間を電気的に接続させ、
前記第2クロック信号によって前記入力電圧と前記第2クロック信号の電圧が加わった電圧を前記ソーストランジスタのゲートに供給することを特徴とする請求項１に記載のチャージポンプ回路。
【請求項３】
前記駆動部は、
前記第1クロック信号によって制御されて前記ソーストランジスタのゲートソース間に接続されたスイッチングトランジスタと、
第1電極が前記ソーストランジスタのゲートに電気的に接続されて第2電極には前記第1クロック信号が供給されるソースキャパシタを具備することを特徴とする請求項１に記載のチャージポンプ回路。
【請求項４】
前記電圧ポンピング部は、
前記ソーストランジスタの出力端子に多段で接続された複数の伝達トランジスタと、
前記ソーストランジスタと複数の伝達トランジスタの間の各ノードに電気的に接続され、
前記第1及び第2クロック信号によって充放電する複数のキャパシタを具備することを特徴とする請求項１に記載のチャージポンプ回路。
【請求項５】
前記複数のキャパシタの中で奇数番目キャパシタには前記第1クロック信号が供給され、偶数番目キャパシタには前記第2クロック信号が供給されることを特徴とする請求項４に記載のチャージポンプ回路。
【請求項６】
前記複数の伝達トランジスタそれぞれはダイオード形態に接続されることを特徴とする請求項４に記載のチャージポンプ回路。
【請求項７】
前記第1及び第2クロック信号は180度の位相差を持つことを特徴とする請求項１に記載のチャージポンプ回路。
【請求項８】
前記ソース及びスイッチングトランジスタは互いに異なるタイプのトランジスタであることを特徴とする請求項３に記載のチャージポンプ回路。
【請求項９】
前記ソーストランジスタと前記複数の伝達トランジスタは互いに同じタイプのトランジスタであることを特徴とする請求項４に記載のチャージポンプ回路。
【請求項１０】
自分のゲートソース間の電圧によって入力電圧を出力するソーストランジスタと、
前記ソーストランジスタの出力端子に多段で接続された複数の伝達トランジスタと、
第1クロック信号によって制御されて前記ソーストランジスタのゲートソース間に電気的に接続されたスイッチングトランジスタと、
前記複数の伝達トランジスタの間の各ノードに電気的に接続される複数のキャパシタと、
前記第1クロック信号が供給されて前記複数のキャパシタの中で偶数番目キャパシタに電気的に接続される第1クロック信号線と、
前記第1クロック信号と異なる第2クロック信号が供給されて前記複数のキャパシタの中で奇数番目キャパシタに電気的に接続される第2クロック信号線と、
前記ソーストランジスタのゲートと前記第1クロック信号線間に電気的に接続されるソースキャパシタを具備するチャージポンプ回路。
【請求項１１】
前記複数の伝達トランジスタそれぞれはダイオード形態に接続されたことを特徴とする請求項１０に記載のチャージポンプ回路。
【請求項１２】
前記第1及び第2クロック信号は180度の位相差を持つことを特徴とする請求項１０に記載のチャージポンプ回路。
【請求項１３】
前記スイッチングトランジスタは前記ソーストランジスタと互いに異なるタイプのトランジスタであることを特徴とする請求項１０に記載のチャージポンプ回路。
【請求項１４】
第1及び第2クロック信号によって入力電圧を段階的に高める請求項１から請求項１２のいずれか１項に記載のチャージポンプ回路と、
基準電圧と前記チャージポンプ回路の出力電圧を比べて比較信号を出力する比較部と、
前記比較部からの比較信号を利用して前記第1及び第2クロック信号を発生するクロック信号発生部を具備するチャージポンプ回路を利用したことを特徴とする直流変換装置。
【請求項１５】
前記出力電圧を電圧分配して前記比較部に供給する電圧分配部をさらに具備するチャージポンプ回路を利用したことを特徴とする請求項１４に記載の直流変換装置。
【請求項１６】
前記クロック信号発生部は、
自分の出力端子からのフィードバック信号と前記比較信号を利用して基準クロックを発生する基準クロック発生部と、
前記基準クロックに基づいて前記第1及び第2クロック信号を発生してバッファリングして前記チャージポンプ回路に供給するクロックバッファーを具備するチャージポンプ回路を利用したことを特徴とする請求項１４に記載の直流変換装置。
【発明の詳細な説明】
【技術分野】
【０００１】
本発明はチャージポンプ回路に関し、特に、トランジスタのしきい値電圧変化に鈍感なチャージポンプ回路とこれを利用した直流変換装置に関する。
【背景技術】
【０００２】
一般に、チャージポンプ回路は電源から供給される電圧より高い電圧を出力する。
【０００３】
例えば、ディーラム(DRAM)などのような半導体素子のバックバイアス(Back-bias)電圧発生器と、イーピーロム(EPROM)、イーイーピーロム(EEPROM)、フラッシュメモリ(Flash Memory)素子のセルにプログラムを書き込み/読み出しするための電圧を発生する電圧発生器などに使用されている。
【０００４】
図１は、一般的なチャージポンプ回路10を表わす回路図である。図１を参照すれば、一般的なチャージポンプ回路10は、ソーストランジスタMSと、電圧ポンピング部12を具備する。
【０００５】
ソーストランジスタMSは入力端子Vinにダイオード形態に接続されて入力端子Vinに入力される入力電圧Vddを電圧ポンピング部12に供給する。
【０００６】
電圧ポンピング部12は、第1ないし第4伝達トランジスタM1ないしM4及び第1ないし第4キャパシタC1ないしC4を具備する。
【０００７】
第1ないし第4伝達トランジスタM1ないしM4は、ソーストランジスタMSの出力端子に複数のノードで直列接続される。ここで、ソーストランジスタMSと、第1ないし第4伝達トランジスタM1ないしM4は、Nタイプの金属酸化膜半導体電界効果トランジスタ(MOSFET、Metal-Oxide Semiconductor Field Effect Transistor)である。
【０００８】
第1キャパシタC1の第1電極は、ソーストランジスタMSと第1伝達トランジスタM1の間である第1ノードN1に電気的に接続されて、第2電極は第1クロック信号CLK1が供給される第1クロック信号線CL1に電気的に接続される。
【０００９】
第2キャパシタC2の第1電極は、第1伝達トランジスタM1と第2伝達トランジスタM2の間である第2ノードN2に電気的に接続されて、第2電極は第2クロック信号CLK2が供給される第2クロック信号線CL2に電気的に接続される。
【００１０】
第3キャパシタC3の第1電極は、第2伝達トランジスタM2と第3伝達トランジスタM3の間である第3ノードN3に電気的に接続されて、第2電極は第1クロック信号CLK1が供給される第1クロック信号線CL1に電気的に接続される。
【００１１】
第4キャパシタC4の第1電極は、第3伝達トランジスタM3と第4伝達トランジスタM4の間である第4ノードN4に電気的に接続されて、第2電極は第2クロック信号CLK2が供給される第2クロック信号線CL2に電気的に接続される。
【００１２】
第1クロック信号線CL1に供給される第1クロック信号CLK1と第2クロック信号線CL2に供給される第2クロック信号CLK2は180゜の位相差を持つツーフェイズ(Two-Phase)クロック信号である。
【００１３】
一方、直列接続された第1ないし第4伝達トランジスタM1ないしM4それぞれのゲート電極は、自分のソース電極に電気的に接続されてダイオード形態に接続される。つまり、第1伝達トランジスタM1のゲート電極は、第1ノードN1に電気的に接続されて、第2伝達トランジスタM2のゲート電極は第2ノードN2に電気的に接続され、第3伝達トランジスタM3のゲート電極は第3ノードN3に電気的に接続され、第4伝達トランジスタM4のゲート電極は第4ノードN4に電気的に接続される。
【００１４】
このような電圧ポンピング部12は、第1ないし第4伝達トランジスタM1ないしM4を利用して第1及び第2クロック信号CLK1、CLK2によってソーストランジスタMSから出力される入力電圧Vddを段階的にポンピングして最終出力端子Voutに出力する。
【００１５】
したがって、一般的なチャージポンプ回路10に供給される入力電圧Vddは第1及び第2クロック信号CLK1、CLK2によるポンピング時間の増加によって最終出力端子Voutに行くほど高い電圧でポンピングされる。
【００１６】
このように動作するチャージポンプ回路10の第1ノードN1には、ダイオード形態で入力端子Vinに接続されたソーストランジスタMSを通じて入力電圧Vddが充電されるから下記［数１］のような電圧に固定される。
【００１７】
【数１】
2006141196.tif 000003
【００１８】
上記［数１］において、VN1は第1ノードN1の電圧で、Vddは入力電圧で、VthはソーストランジスタMSのしきい値電圧で、VCLK1は第1クロック信号CLK1の電圧である。
【００１９】
結果的に、一般的なチャージポンプ回路10はソーストランジスタMSのしきい値電圧Vthに敏感なのでポンピング効率が低下するという問題点がある。
【００２０】
なお、従来のチャージポンプ回路とこれを利用した直流変換装置に関する技術を記載した文献としては、下記特許文献１等がある。
【特許文献１】米国特許出願公開第5,572,735号明細書
【発明の開示】
【発明が解決しようとする課題】
【００２１】
したがって、本発明の目的はトランジスタのしきい値電圧変化に鈍感なチャージポンプ回路とこれを利用した直流変換装置を提供することにある。
【課題を解決するための手段】
【００２２】
前記目的を果たすための技術的手段として本発明の第1側面は、第1クロック信号によって入力電圧を出力するソーストランジスタと、前記入力電圧と前記第1クロック信号と前記第1クロック信号と異なる第2クロック信号を利用して前記ソーストランジスタを駆動する駆動部と、前記第1及び第2クロック信号によって前記ソーストランジスタから出力される電圧を段階的に高める電圧ポンピング部を具備するチャージポンプ回路を提供する。
【００２３】
望ましくは、前記駆動部は前記第1クロック信号によって前記ソーストランジスタのゲートソース間を電気的に接続させ、前記第2クロック信号によって前記入力電圧と前記第2クロック信号の電圧が加わった電圧を前記ソーストランジスタのゲートに供給する。
【００２４】
このような前記駆動部は、前記第1クロック信号によって制御されて前記ソーストランジスタのゲートソース間に接続されたスイッチングトランジスタと、第1電極が前記ソーストランジスタのゲートに電気的に接続されて第2電極には前記第1クロック信号が供給されるソースキャパシタを具備する。
【００２５】
そして、前記電圧ポンピング部は、前記ソーストランジスタの出力端子に多段で接続された複数の伝達トランジスタと、前記ソーストランジスタと複数の伝達トランジスタの間の各ノードに電気的に接続されて前記第1及び第2クロック信号によって充放電する複数のキャパシタを具備する。
【００２６】
本発明の第2側面は、自分のゲートソース間の電圧によって入力電圧を出力するソーストランジスタと、前記ソーストランジスタの出力端子に多段で接続された複数の伝達トランジスタと、第1クロック信号によって制御されて前記ソーストランジスタのゲートソース間に電気的に接続されたスイッチングトランジスタと、前記複数の伝達トランジスタの間の各ノードに電気的に接続される複数のキャパシタと、前記第1クロック信号が供給されて前記複数のキャパシタの中で偶数番目キャパシタに電気的に接続される第1クロック信号線と、前記第1クロック信号と異なる第2クロック信号が供給されて前記複数のキャパシタの中で奇数番目キャパシタに電気的に接続される第2クロック信号線と、前記ソーストランジスタのゲートと前記第1クロック信号線間に電気的に接続されるソースキャパシタを具備するチャージポンプ回路を提供する。
【００２７】
本発明の第3側面は、第1及び第2クロック信号によって入力電圧を段階的に高める前記チャージポンプ回路と、基準電圧と前記チャージポンプ回路の出力電圧を比べて比較信号を出力する比較部と、前記比較部からの比較信号を利用して前記第1及び第2クロック信号を発生するクロック信号発生部とを具備するチャージポンプ回路を利用した直流変換装置を提供する。
【００２８】
望ましくは、チャージポンプ回路を利用した直流変換装置は、前記出力電圧を電圧分配して前記比較部に供給する電圧分配部をさらに具備する。そして、前記クロック信号発生部は自分の出力端子からのフィードバック信号と前記比較信号を利用して基準クロックを発生する基準クロック発生部と、前記基準クロックに基づいて前記第1及び第2クロック信号を発生してバッファリングして前記チャージポンプ回路に供給するクロックバッファーを具備する。
【発明の効果】
【００２９】
上述したように、本発明の実施形態によるチャージポンプ回路によれば、入力電圧とクロック信号を利用して入力電圧を次のノードに出力してソーストランジスタのゲート電極に供給される電圧を大きく高めることで、ソーストランジスタのしきい値電圧の影響なしに入力電圧を次のノードに供給することができる。
【００３０】
これによって、本発明の実施形態によるチャージポンプ回路は、ソーストランジスタのしきい値電圧の影響なしに入力電圧を第1及び第2クロック信号によって段階的にポンピングして出力する。
【００３１】
したがって、本発明はトランジスタのしきい値電圧に鈍感なチャージポンプ回路を提供することができ、このようなチャージポンプ回路を直流変換器に適用することでトランジスタのしきい値電圧に鈍感な直流変換器を提供することができる。
【発明を実施するための最良の形態】
【００３２】
以下、本発明の属する技術分野において通常の知識を有する者が本発明を容易に実施することができる好適な実施形態を添付された図２ないし図４を参照して詳しく説明する。
【００３３】
図２は、本発明の実施形態によるチャージポンプ回路110を表わす回路図である。
図２を参照すれば、本発明の実施形態によるチャージポンプ回路110は、ソーストランジスタMS、電圧ポンピング部112及び駆動部114を具備する。
【００３４】
ソーストランジスタMSのソース電極は、入力端子Vinに電気的に接続されて、ドレイン電極は電圧ポンピング部112に電気的に接続される。そして、ソーストランジスタMSのゲート電極は駆動部114に電気的に接続される。
【００３５】
このようなソーストランジスタMSは駆動部114によって駆動されて入力端子Vinに入力される入力電圧Vddを電圧ポンピング部112に供給する。
【００３６】
駆動部114は、スイッチングトランジスタPS及びソースキャパシタCsを具備する。
スイッチングトランジスタPSのソース電極は入力端子Vinに電気的に接続されて、ドレイン電極はソーストランジスタMSのゲート電極に電気的に接続される。そして、スイッチングトランジスタPSのゲート電極は第1クロック信号線CL1に電気的に接続される。
【００３７】
この時、スイッチングトランジスタPSはソーストランジスタMSと異なるタイプのトランジスタであり、以下、Pタイプトランジスタと仮定して説明する。
【００３８】
このようなスイッチングトランジスタPSは第1クロック信号線CL1に供給される第1クロック信号CLK1によって入力端子Vinに供給される入力電圧VddをソーストランジスタMSのゲート電極に供給する。
【００３９】
ソースキャパシタCsの第1電極は、ソーストランジスタMSのゲート電極に電気的に接続されて、第2電極は第1クロック信号線CL1に電気的に接続される。このようなソースキャパシタCsは第1クロック信号線CL1に供給される第1クロック信号CLK1によってスイッチングトランジスタPSを通じて第1電極に供給される入力電圧Vddを充電したり、充電された電圧をソーストランジスタMSのゲート電極に供給する。
【００４０】
このような駆動部114は、第1クロック信号CLK1によってソーストランジスタMSを駆動させる。具体的には、駆動部114はロー状態の第1クロック信号CLK1によってスイッチングトランジスタPSをターンオンさせて入力電圧VddをソースキャパシタCsに充電した後、ハイ状態の第1クロック信号CLK1によってスイッチングトランジスタPSをターンオフさせる。これによって、駆動部114はハイ状態の第1クロック信号CLK1とソースキャパシタCsに充電された電圧を利用してソーストランジスタMSをターンオンさせるようになる。
【００４１】
電圧ポンピング部112は、第1ないし第4伝達トランジスタM1ないしM4及び第1ないし第4キャパシタC1ないしC4を具備する。
【００４２】
第1ないし第4伝達トランジスタM1ないしM4は、ソーストランジスタMSの出力端子に複数のノードで直列接続される。ここで、ソーストランジスタMSと、第1ないし第4伝達トランジスタM1ないしM4は、NタイプまたはPタイプの金属酸化膜半導体電界効果トランジスタとすることができる。
【００４３】
以下、ソーストランジスタMSと、第1ないし第4伝達トランジスタM1ないしM4はNタイプトランジスタと仮定して説明する。
【００４４】
第1キャパシタC1の第1電極はソーストランジスタMSと第1伝達トランジスタM1の間である第1ノードN1に電気的に接続され、第2電極は第2クロック信号CLK2が供給される第2クロック信号線CL2に電気的に接続される。
【００４５】
第2キャパシタC2の第1電極は第1伝達トランジスタM1と第2伝達トランジスタM2の間である第2ノードN2に電気的に接続され、第2電極は第1クロック信号線CL1に電気的に接続される。
【００４６】
第3キャパシタC3の第1電極は第2伝達トランジスタM2と第3伝達トランジスタM3の間である第3ノードN3に電気的に接続され、第2電極は第2クロック信号線CL2に電気的に接続される。
【００４７】
第4キャパシタC4の第1電極は第3伝達トランジスタM3と第4伝達トランジスタM4の間である第4ノードN4に電気的に接続され、第2電極は第1クロック信号線CL1に電気的に接続される。
【００４８】
第1クロック信号CLK1と第2クロック信号CLK2は180゜の位相差を持つツーフェイズ(Two-Phase)クロック信号である。
【００４９】
一方、直列接続された第1ないし第4伝達トランジスタM1ないしM4それぞれのゲート電極は、自分のソース電極に電気的に接続されてダイオード形態に接続される。
【００５０】
つまり、第1伝達トランジスタM1のゲート電極は第1ノードN1に電気的に接続されて、第2伝達トランジスタM2のゲート電極は第2ノードN2に電気的に接続され、第3伝達トランジスタM3のゲート電極は第3ノードN3に電気的に接続され、第4伝達トランジスタM4のゲート電極は第4ノードN4に電気的に接続される。
【００５１】
このような電圧ポンピング部112は第1ないし第4伝達トランジスタM1ないしM4を利用して第1及び第2クロック信号CLK1、CLK2によってソーストランジスタMSから出力される入力電圧Vddを段階的にポンピングして最終出力端子Voutに出力する。
【００５２】
つまり、電圧ポンピング部112は第1ないし第4伝達トランジスタM1ないしM4を利用して第1及び第2クロック信号CLK1、CLK2によって充放電される第1ないし第4キャパシタC1ないしC4それぞれの電圧を段階的にポンピングして最終出力端子Voutに出力する。
【００５３】
このような本発明の実施形態によるチャージポンプ回路110は駆動部114を利用してソーストランジスタMSを駆動させるため、ソーストランジスタMSのしきい値電圧Vthの影響なしに第1ノードN1に充電させるようになる。
【００５４】
そして、本発明の実施形態によるチャージポンプ回路110は、電圧ポンピング部112を利用してソーストランジスタMSから出力される入力電圧Vddを第1及び第2クロック信号CLK1、CLK2によって段階的に上昇させて最終出力端子Voutに出力する。
【００５５】
結果的に、本発明の実施形態によるチャージポンプ回路110に供給される入力電圧Vddは、ソーストランジスタMSのしきい値電圧Vthの影響なしに第1及び第2クロック信号CLK1、CLK2によるポンピング時間の増加によって最終出力端子Voutに行くほど高い電圧でポンピングされる。
【００５６】
図３は、図２に図示されたチャージポンプ回路110を駆動させるための第1及び第2クロック信号CLK1、CLK2を表わす波形図である。
【００５７】
図３を図２と結び付けて本発明の実施形態のチャージポンプ回路110の駆動を説明すれば次のようである。
【００５８】
ロー状態の第1クロック信号CLK1とハイ状態の第2クロック信号CLK2が供給されるT1期間の間、スイッチングトランジスタPSはロー状態の第1クロック信号CLK1によってターンオンされる。
【００５９】
T1期間の間ソーストランジスタMSのゲート電極にはスイッチングトランジスタPSを通じて入力電圧Vddが供給される。これによって、T1期間の間ソーストランジスタMSのゲート電極及びソース電極には入力電圧Vddが供給されることにより、ソーストランジスタMSはオフ状態になる。この時、T1期間の間ソースキャパシタCsは入力電圧Vddを充電する。
【００６０】
一方、T1期間の間第1及び第3キャパシタC1、C3はハイ状態の第2クロック信号CLK2を充電する反面、第2及び第4キャパシタC2、C4はロー状態の第1クロック信号CLK1によって充電された電圧を放電するようになる。
【００６１】
したがって、T1期間の間電圧ポンピング部112は、第1及び第2クロック信号CLK1、CLK2による第1ないし第4キャパシタC1ないしC4の充放電による第1ないし第4伝達トランジスタM1ないしM4の駆動を利用して、第1ノードN1の電圧を段階的にポンピングして最終出力端子Voutに出力する。
【００６２】
これに続いて、ハイ状態の第1クロック信号CLK1とロー状態の第2クロック信号CLK2が供給されるT2期間の間スイッチングトランジスタPSはハイ状態の第1クロック信号CLK1によってターンオフされる。
【００６３】
T2期間の間ハイ状態の第1クロック信号CLK1がソースキャパシタCsに供給されることで、ソーストランジスタMSはハイ状態の第1クロック信号CLK1の電圧とソースキャパシタCsに格納された電圧が加わった電圧によってターンオンされる。これによって、T2期間の間ソーストランジスタMSは自分のしきい値電圧Vthの影響なしに入力電圧Vinを第1ノードN1に供給するようになる。
【００６４】
一方、T2期間の間第1及び第3キャパシタC1、C3はロー状態の第2クロック信号CLK2によって充電された電圧を放電する反面、第2及び第4キャパシタC2、C4はハイ状態の第1クロック信号CLK1を充電するようになる。
【００６５】
したがって、T2期間の間電圧ポンピング部112は、第1及び第2クロック信号CLK1、CLK2による第1ないし第4キャパシタC1ないしC4の充放電による第1ないし第4伝達トランジスタM1ないしM4の駆動を利用して第1ノードN1の電圧を段階的にポンピングして最終出力端子Voutに出力する。
【００６６】
結果的に、T2期間の間本発明の実施形態によるチャージポンプ回路110は、駆動部114を利用してソーストランジスタMSのしきい値電圧Vthの影響なしに入力電圧Vddを第1ノードN1に供給し、電圧ポンピング部112を利用して第1及び第2クロック信号CLK1、CLK2によって第1ノードN1の電圧を段階的にポンピングして最終出力端子Voutに出力するようになる。
【００６７】
このような本発明の実施形態によるチャージポンプ回路110は、上述したT1及びT2期間を繰り返して遂行しながら入力電圧Vddを第1及び第2クロック信号CLK1、CLK2によって段階的にポンピングして出力するようになる。
【００６８】
図４は、本発明の実施形態によるチャージポンプ回路を利用した直流変換装置を表わすブロック図である。
【００６９】
図４を参照すれば、本発明の実施形態によるチャージポンプ回路を利用した直流変換装置は、チャージポンプ回路110、電圧分配部120、比較部130及びクロック信号発生部140を具備する。
【００７０】
チャージポンプ回路110は、クロック信号発生部140から供給される第1及び第2クロック信号CLK1、CLK2によって入力電圧Vddを段階的にポンピングして出力する。
【００７１】
このようなチャージポンプ回路110は、図２に図示された本発明の実施形態によるチャージポンプ回路110と構成及び動作が同じであるからこれに対する詳細な説明は上述した図２に対する説明を参照することができる。
【００７２】
電圧分配部120は、チャージポンプ回路110の出力端子から出力される出力電圧Voutを電圧分配して分配電圧Vdを比較部130に供給する。
【００７３】
比較部130は、分配電圧Vdと基準電圧源Vrefからの基準電圧Vrを供給してもらう。このような比較部130は、基準電圧Vrと電圧分配部120から供給される分配電圧Vdを比べ、比較結果に対応する比較信号Vcをクロック信号発生部140に供給する。
【００７４】
クロック信号発生部140は、基準クロック発生部142及びクロックバッファー144を具備する。
【００７５】
基準クロック発生部142は、自分の出力端子からフィードバック信号FBと比較部130からの比較信号Vcを利用して基準クロックRSを発生する。クロックバッファー144は基準クロック発生部142から供給される基準クロックRSに基づいて前記第1及び第2クロック信号CLK1、CLK2を発生し、発生された第1及び第2クロック信号CLK1、CLK2をバッファリングしてチャージポンプ回路110に供給する。この時、第1及び第2クロック信号CLK1、CLK2は、180゜の位相差を持つツーフェイズ(Two-Phase)クロック信号である。
【００７６】
このような本発明の実施形態によるチャージポンプ回路を利用した直流変換装置は、チャージポンプ回路110を利用して所望の電圧の出力電圧Voutを発生し、チャージポンプ回路110の出力電圧Voutの分配電圧Vdと基準電圧Vrを利用してチャージポンプ回路110を駆動させるための第1及び第2クロック信号CLK1、CLK2を発生するようになる。これにより、本発明はトランジスタのしきい値電圧変化に鈍感なチャージポンプ回路とこれを利用した直流変換装置を提供する。
【００７７】
上述したように、本発明の詳細な説明と図は、単なる本発明の例示的なものであり、これは単に本発明を説明するための目的で使用されたものであって、意味限定や特許請求の範囲に記載された本発明の範囲を制限するために使用されたものではない。よって、前記説明した内容を介して当業者であれば、本発明の技術思想を逸脱しない範囲で多様な変更及び修正が可能であることが分かる。
【図面の簡単な説明】
【００７８】
【図１】一般的なチャージポンプ回路を表わす回路図である。
【図２】本発明の実施形態によるチャージポンプ回路を表わす回路図である。
【図３】図２に図示されたチャージポンプ回路を駆動させるためのクロック信号を表わす波形図である。
【図４】本発明の実施形態によるチャージポンプ回路を利用した直流変換装置を表わすブロック図である。
【符号の説明】
【００７９】
10、110  チャージポンプ回路
12、112  電圧ポンピング部
114  駆動部
120  電圧分配部
130  比較部
140  クロック信号発生部
142  基準クロック発生部
144  クロックバッファー
【図１】
2006141196.tif 000004
【図２】
2006141196.tif 000005
【図３】
2006141196.tif 000006
【図４】
2006141196.tif 000007